(57)【要約】      （修正有）【課題】被測定者などに血圧変動の認識機会を与える技術を提供する。【解決手段】情報処理装置は、第１の血圧情報、及び前記第１の血圧情報よりも過去の第２の血圧情報を取得する情報取得部１０３１と、前記第１及び第２の血圧情報から第１の基準値を超える血圧変動を検出する血圧変動検出部１０３２と、前記血圧変動を通知する血圧変動情報を出力する変動情報出力部１０３３と、を備える。【選択図】図４
2019115612.tif 000002
【特許請求の範囲】
【請求項１】
第１の血圧情報、及び前記第１の血圧情報よりも過去の第２の血圧情報を取得する情報取得部と、
前記第１及び第２の血圧情報から第１の基準値を超える血圧変動を検出する血圧変動検出部と、
前記血圧変動を通知する血圧変動情報を出力する変動情報出力部と、
を備える情報処理装置。
【請求項２】
第１の環境情報、及び前記第１の環境情報より過去の第２の環境情報から第２の基準値を超える環境変化を検出する環境変化検出部と、
前記環境変化の検出に基づき前記第１の血圧情報を測定する血圧測定部と、
前記第１の血圧情報を出力する血圧情報出力部と、
を備える請求項１に記載の情報処理装置。
【請求項３】
前記血圧測定部は、入力操作に対応する測定指示及び測定スケジュールに対応する測定指示のうちの何れか一つに基づき前記第２の血圧情報を測定し、
前記血圧情報出力部は、前記第２の血圧情報を出力する請求項２に記載の情報処理装置。
【請求項４】
前記血圧変動検出部は、血圧情報の取得に応じて前記第２の血圧情報を更新する請求項３に記載の情報処理装置。
【請求項５】
前記環境変化検出部は、環境情報の取得に応じて前記第２の環境情報を更新する請求項２乃至４の何れか１項に記載の情報処理装置。
【請求項６】
前記環境変化検出部は、前記第１の環境情報に対応する第１の温度情報、及び前記第２の環境情報に対応する第２の温度情報から前記第２の基準値を超える前記環境変化を検出する請求項２乃至５の何れか１項に記載の情報処理装置。
【請求項７】
前記変動情報出力部は、前記環境変化を示す情報を含む前記血圧変動情報を出力する請求項２乃至６の何れか１項に記載の情報処理装置。
【請求項８】
前記血圧情報出力部は、被測定者の血圧測定状況を示す情報に関連付けて前記第１及び第２の血圧情報を出力し、
前記変動情報出力部は、前記血圧測定状況を示す情報を含む前記血圧変動情報を出力する請求項２乃至７の何れか１項に記載の情報処理装置。
【請求項９】
前記血圧測定状況を示す情報は、前記被測定者の血圧測定位置を含む請求項８に記載の情報処理装置。
【請求項１０】
前記環境変化検出部は、前記第１及び第２の温度情報の少なくとも一方が温度基準値未満の場合に、前記環境変化を検出する請求項６に記載の情報処理装置。
【請求項１１】
情報処理装置により実行される情報処理方法であって、
第１の血圧情報、及び前記第１の血圧情報よりも過去の第２の血圧情報を取得する情報取得過程と、
前記第１及び第２の血圧情報から第１の基準値を超える血圧変動を検出する血圧変動検出過程と、
前記血圧変動を通知する血圧変動情報を出力する変動情報出力過程と、
を備える情報処理方法。
【請求項１２】
請求項１乃至１０の何れか一つに記載の情報処理装置が備える各部としてコンピュータを機能させる情報処理プログラム。
【発明の詳細な説明】
【技術分野】
【０００１】
この発明は、情報処理装置、情報処理方法、及び情報処理プログラムに関する。
【背景技術】
【０００２】
近年、どこでも手軽に血圧を測定することができるウェアラブル血圧計の開発が進められている。特許文献１には、その一例として測定指示の入力操作に応じて血圧測定を開始するウェアラブル血圧計が開示されている。
【０００３】
このようなウェアラブル血圧計により、様々な状況において手軽に血圧を測定することができる。例えば、自宅や職場など様々な場所において血圧値を測定し記録すること、及び外出先を含め様々な時間において血圧値を測定し記録することができる。これら様々な状況で測定された血圧値が健康管理などに利用されている。
【先行技術文献】
【特許文献】
【０００４】
【特許文献１】特開２０１７−０２３５４６号公報
【発明の概要】
【発明が解決しようとする課題】
【０００５】
上記したようなウェアラブル血圧計を使用することにより、自宅や職場などの様々な状況で血圧を測定し易くなっている。しかしながら、日常生活において発生し得る血圧変動には気付かないことが多い。例えば、急激な温度変化などの環境変化により健康管理において注意すべき血圧変動が生じ得ることが知られている。このような血圧変動に気付くためには、日頃から血圧を測定し、過去の測定値と現在の測定値とを比較するなどの作業が必要となる。
【０００６】
本発明は、一側面では、このような実情を鑑みてなされたものであり、その目的は、被測定者などに血圧変動の認識機会を与える技術を提供することである。
【課題を解決するための手段】
【０００７】
本発明は、上述した課題を解決するために、以下の構成を採用する。
【０００８】
すなわち、本発明の第１の態様に係る情報処理装置は、第１の血圧情報、及び前記第１の血圧情報よりも過去の第２の血圧情報を取得する情報取得部と、前記第１及び第２の血圧情報から第１の基準値を超える血圧変動を検出する血圧変動検出部と、前記血圧変動を通知する血圧変動情報を出力する変動情報出力部と、を備える。
【０００９】
上記構成によれば、血圧変動の検出に基づく血圧変動情報の出力により、被測定者などに対して血圧変動を通知することにより、血圧変動の認識機会を与えることができる。例えば、第１の基準値を超える血圧変動は血管に負担がかかるが、被測定者などは、血圧変動が生じていたことを知ることができ、生活環境などの改善を検討することができる。
【００１０】
本発明の第２の態様は、第１の態様の情報処理装置において、第１の環境情報、及び前記第１の環境情報より過去の第２の環境情報から第２の基準値を超える環境変化を検出する環境変化検出部と、前記環境変化の検出に基づき前記第１の血圧情報を測定する血圧測定部と、前記第１の血圧情報を出力する血圧情報出力部と、を備える。
【００１１】
上記構成によれば、第２の基準値を超える環境変化に基づき血圧変動が生じることがあり、血圧変動の検出確率を高めることができる。
【００１２】
本発明の第３の態様は、第２の態様の情報処理装置において、入力操作に対応する測定指示及び測定スケジュールに対応する測定指示のうちの何れか一つに基づき前記第２の血圧情報を測定し、前記血圧情報出力部は、前記第２の血圧情報を出力する。
【００１３】
上記構成によれば、入力操作に対応する測定指示に基づき、被測定者などの意向に沿ったタイミングで第２の血圧情報を測定することができる。又は、測定スケジュールにより定められたタイミングで第２の血圧情報を測定することができる。
本発明の第４の形態は、第３の態様の情報処理装置において、前記血圧変動検出部は、血圧情報の取得に応じて前記第２の血圧情報を更新する。
上記構成によれば、第１の血圧情報、及び血圧情報の取得に応じて更新される第２の血圧情報から血圧変動を検出することができる。
本発明の第５の形態は、第２乃至４の何れか一つの態様の情報処理装置において、前記環境変化検出部は、環境情報の取得に応じて前記第２の環境情報を更新する。
上記構成によれば、第１の環境情報、及び環境情報の取得に応じて更新される第２の環境情報から環境変化を検出することができる。
【００１４】
本発明の第６の態様は、第２乃至５の何れか一つの態様の情報処理装置において、前記環境変化検出部は、前記第１の環境情報に対応する第１の温度情報、及び前記第２の環境情報に対応する第２の温度情報から前記第２の基準値を超える前記環境変化を検出する。
【００１５】
上記構成によれば、第２の基準値を超える温度変化をトリガーとして第１の血圧情報を測定することができ、これにより血圧変動の検出確率を高めることができる。
【００１６】
本発明の第７の態様は、第２乃至６の何れか一つの態様の情報処理装置において、前記変動情報出力部は、前記環境変化を示す情報を含む前記血圧変動情報を出力する。
【００１７】
上記構成によれば、血圧変動情報の出力により、被測定者などに対して、血圧変動に加えて環境変化を通知することができる。例えば、被測定者などは、環境変化に応じた血圧変動を知ることができ、生活環境などの改善を検討することができる。
【００１８】
本発明の第８の態様は、第２乃至７の何れか一つの態様の情報処理装置において、前記血圧情報出力部は、被測定者の血圧測定状況を示す情報に関連付けて前記第１及び第２の血圧情報を出力し、前記変動情報出力部は、前記血圧測定状況を示す情報を含む前記血圧変動情報を出力する。
【００１９】
上記構成によれば、血圧変動情報の出力により、被測定者などに対して、血圧変動に加えて血圧測定状況を通知することができる。例えば、被測定者などは、血圧変動が生じていたときの血圧測定状況を知ることができ、血圧測定状況から血圧変動の対策などを検討することができる。
【００２０】
本発明の第９の態様は、第８の態様の情報処理装置において、前記血圧測定状況を示す情報は前記被測定者の血圧測定位置を含む。
【００２１】
上記構成によれば、血圧変動情報の出力により、被測定者などに対して血圧変動に加えて、血圧測定位置を通知することができる。例えば、被測定者などは、血圧変動が生じていたときの血圧測定位置を知ることができ、血圧測定位置から血圧変動の対策などを検討することができる。
【００２２】
本発明の第１０の態様は、第６の態様の情報処理装置において、前記環境変化検出部は、前記第１及び第２の温度情報の少なくとも一方が温度基準値未満の場合に、前記環境変化を検出する。
【００２３】
上記構成によれば、第１及び第２の温度情報の少なくとも一方が温度基準値未満の場合に環境変化が検出され、温度基準値未満の低温下の環境変化において血圧を測定し血圧変動を検出することができる。血圧変動の発生確率が低いと考えられる一部の温度環境が血圧測定の対象から除外されることにより、被測定者における血圧測定の負担を軽減し快適性を高めることができる。また、記録される血圧情報の情報量を減らすことができ、これにより記憶資源の使用量を削減することができる。
【００２４】
本発明の第１１の態様に係る情報処理方法は、情報処理装置により実行される情報処理方法であって、第１の血圧情報、及び前記第１の血圧情報よりも過去の第２の血圧情報を取得する情報取得過程と、前記第１及び第２の血圧情報から第１の基準値を超える血圧変動を検出する血圧変動検出過程と、前記血圧変動を通知する血圧変動情報を出力する変動情報出力過程と、を備える情報処理方法である。
【００２５】
上記構成によれば、上述の第１の態様と同様の効果を得ることができる。
【００２６】
本発明の第１２の態様は、第１乃至１０の何れか一つの態様の情報処理装置が備える各部としてコンピュータを機能させる情報処理プログラムである。
【００２７】
上記構成によれば、上述の第１乃至１０の何れかの態様と同様の効果を得ることができる。
【発明の効果】
【００２８】
本発明によれば、被測定者などに血圧変動の認識機会を与える技術を提供することができる。
【図面の簡単な説明】
【００２９】
【図１】図１は、実施の形態に係る血圧計の一例を示す外観図。
【図２】図２は、実施の形態に係る血圧計の一例を示すブロック図。
【図３】図３は、実施の形態に係る血圧計の一例を示す断面図。
【図４】図４は、実施の形態に係る血圧計の一例を示す機能ブロック図。
【図５】図５は、実施の形態に係る環境変化に基づく血圧測定処理の一例を示すフローチャート。
【図６】図６は、実施の形態に係る血圧変動通知処理の一例を示すフローチャート。
【発明を実施するための形態】
【００３０】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。なお、本実施形態において登場する信号などを自然言語により説明しているが、より具体的には、コンピュータが認識可能な疑似言語、コマンド、パラメータ、マシン語などで指定される。
【００３１】
［一実施の形態］  
（構成）  
図１は、この発明に係る情報処理装置の一実施の形態である血圧計１の外観を示す図である。  
血圧計１は、腕時計型ウェアラブルデバイスである。血圧計１は、血圧測定部としての血圧測定機能を備え、さらに種々の情報処理機能を備えている。情報処理機能には、例えば、活動量測定機能、歩数計測機能、睡眠状態計測機能、及び、環境（温度・湿度・気圧）計測機能が含まれる。血圧計１は、例えば、被測定者による血圧測定の開始指示の入力、又は血圧計１が自律的に発生するトリガー信号に基づいて血圧測定を開始するタイプの血圧計である。  
血圧計１は、本体１０と、ベルト２０と、カフ構造体３０とを備えている。
【００３２】
本体１０の構成について説明する。  
本体１０は、血圧計１の制御系の要素などの複数の要素を搭載可能に構成されている。  
本体１０は、ケース１０Ａと、ガラス１０Ｂと、裏蓋１０Ｃとを備えている。  
ケース１０Ａは、例えば、略短円筒状である。ケース１０Ａは、その側面の２カ所それぞれに、ベルト２０を取り付けるための１対の突起状のラグを備えている。  
ガラス１０Ｂは、ケース１０Ａの上部に取り付けられている。ガラス１０Ｂは、例えば、円形状である。  
裏蓋１０Ｃは、ガラス１０Ｂと対向するように、ケース１０Ａの下部に着脱可能に取り付けられる。
【００３３】
本体１０は、表示部１０１と、操作部１０２とを搭載している。  
表示部１０１は、種々の情報を表示する。表示部１０１は、本体１０内にあって、ガラス１０Ｂを介して被測定者が視認可能な位置に設けられている。表示部１０１は、例えば、ＬＣＤ（Liquid Crystal Display）である。表示部１０１は、有機ＥＬ（Electro Luminescence）ディスプレイであってもよい。表示部１０１は、種々の情報を表示する機能を備えていればよく、これらに限定されるものではない。表示部１０１は、ＬＥＤ（Light Emitting Diode）を備えていてもよい。
【００３４】
操作部１０２は、血圧計１に対する種々の指示を入力するための要素である。操作部１０２は、本体１０の側面に設けられている。操作部１０２は、例えば、１以上のプッシュ式スイッチを備えている。操作部１０２は、感圧式（抵抗式）又は近接式（静電容量式）のタッチパネル式スイッチであってもよい。操作部１０２は、血圧計１に対する種々の指示を入力する機能を備えていればよく、これらに限定されるものではない。
【００３５】
操作部１０２が備えるスイッチの例について説明する。  
操作部１０２は、血圧測定の開始又は停止を指示するための測定スイッチを備えている。また操作部１０２は、表示部１０１の表示画面を予め定められたホーム画面へ戻すためのホームスイッチや、過去の血圧、活動量などの測定記録を表示部１０１に表示させるための記録呼出スイッチを備えていてもよい。
【００３６】
なお、本体１０は、表示部１０１及び操作部１０２以外の複数の要素を搭載している。本体１０が搭載する複数の要素については後述する。
【００３７】
ベルト２０の構成について説明する。  
ベルト２０は、被測定者の被測定部位（例えば、左手首）を取り巻き可能に構成されている。ベルト２０の幅方向をＸ方向とする。ベルト２０が被測定部位を取り巻く方向をＹ方向とする。  
ベルト２０は、第１ベルト部２０１と、第２ベルト部２０２と、尾錠２０３と、ベルト保持部２０４とを備えている。
【００３８】
第１ベルト部２０１は、本体１０から一方向片側（図１では、右側）へ延在する帯状である。第１ベルト部２０１のうち本体１０に近い根元部２０１ａは、本体１０の１対のラグに対して、連結棒４０１を介して回動自在に取り付けられている。
【００３９】
第２ベルト部２０２は、本体１０から一方向他側（図１では、左側）へ延在する帯状である。第２ベルト部２０２のうち本体１０に近い根元部２０２ａは、本体１０の一対のラグに対して、連結棒４０２を介して回動自在に取り付けられている。第２ベルト部２０２のうち根元部２０２ａと本体１０から遠い先端部２０２ｂとの間には、複数の小穴２０２ｃが、第２ベルト部２０２の厚さ方向に貫通して形成されている。
【００４０】
尾錠２０３は、第１ベルト部２０１と第２ベルト部２０２とを締結可能に構成されている。尾錠２０３は、第１ベルト部２０１のうち本体１０から遠い先端部２０１ｂに取り付けられている。尾錠２０３は、枠状体２０３Ａと、つく棒２０３Ｂと、連結棒２０３Ｃとを備えている。  
枠状体２０３Ａ及びつく棒２０３Ｂは、第１ベルト部２０１の先端部２０１ｂに対して、連結棒２０３Ｃを介して回動自在に取り付けられている。枠状体２０３Ａ及びつく棒２０３Ｂは、例えば、金属材料で構成されている。枠状体２０３Ａ及びつく棒２０３Ｂは、プラスチック材料で構成されていてもよい。第１ベルト部２０１と第２ベルト部２０２との締結時に、第２ベルト部２０２の先端部２０２ｂは、枠状体２０３Ａに通される。つく棒２０３Ｂは、第２ベルト部２０２の複数の小穴２０２ｃのうちのいずれか一つに挿通される。
【００４１】
ベルト保持部２０４は、第１ベルト部２０１のうち根元部２０１ａと先端部２０１ｂとの間に取り付けられている。第１ベルト部２０１と第２ベルト部２０２との締結時に、第２ベルト部２０２の先端部２０２ｂは、ベルト保持部２０４に通される。
【００４２】
カフ構造体３０の構成について説明する。  
カフ構造体３０は、血圧測定時に被測定部位を圧迫可能に構成されている。  
カフ構造体３０は、Ｙ方向に沿って延在する帯状である。カフ構造体３０は、ベルト２０の内周面に対向している。カフ構造体３０の一端３０ａは、本体１０に取り付けられている。カフ構造体３０の他端３０ｂは、自由端である。このため、カフ構造体３０は、ベルト２０の内周面から離間自在である。  
カフ構造体３０は、カーラ３０１と、押圧カフ３０２と、背板３０３と、センシングカフ３０４とを備えている。
【００４３】
カーラ３０１は、カフ構造体３０の最外周に配置されている。カーラ３０１は、自然状態では、Ｙ方向に沿って湾曲している。カーラ３０１は、所定の可撓性及び硬さを有する樹脂板である。樹脂板は、例えば、ポリプロピレンで構成されている。
【００４４】
押圧カフ３０２は、カーラ３０１の内周面に沿って配置されている。押圧カフ３０２は、袋状である。押圧カフ３０２には、可撓性チューブ５０１（図２に示す）が取り付けられている。可撓性チューブ５０１は、本体１０側から圧力伝達用の流体（以下、単に「流体」とも表記する）を供給し、又は、押圧カフ３０２から流体を排出するための要素である。流体は、例えば、空気である。流体が押圧カフ３０２に供給されると、押圧カフ３０２は膨張し、被測定部位を圧迫する。
【００４５】
なお、押圧カフ３０２は、例えば、厚さ方向に積層されている２つの流体袋を含んでいてもよい。各流体袋は、例えば、伸縮可能なポリウレタンシートで構成されている。流体が押圧カフ３０２に供給されると、流体は、各流体袋に流入する。各流体袋が膨張することで、押圧カフ３０２は膨張する。
【００４６】
背板３０３は、押圧カフ３０２の内周面に沿って配置されている。背板３０３は、帯状である。背板３０３は、例えば、樹脂で構成されている。樹脂は、例えば、ポリプロピレンである。背板３０３は、補強板として機能する。このため、背板３０３は、押圧カフ３０２からの押圧力をセンシングカフ３０４の全域に伝えることができる。  
背板３０３の内周面及び外周面には、方向Ｘに延びる断面Ｖ字状又はＵ字状の溝が、方向Ｙに関して互いに離間して複数平行に設けられている。背板３０３は屈曲し易いので、背板３０３は、カフ構造体３０が湾曲しようとすることを妨げない。
【００４７】
センシングカフ３０４は、背板３０３の内周面に沿って配置されている。センシングカフ３０４は、袋状である。センシングカフ３０４は、第１のシート３０４Ａ（図３に示す）と、第１のシート３０４Ａに対向する第２のシート３０４Ｂ（図３に示す）とを備えている。第１のシート３０４Ａは、カフ構造体３０の内周面３０ｃに相当する。このため、第１のシート３０４Ａは、被測定部位に接する。第２のシート３０４Ｂは、背板３０３の内周面に対向する。第１のシート３０４Ａ及び第２のシート３０４Ｂは、例えば、伸縮可能なポリウレタンシートである。センシングカフ３０４には、可撓性チューブ５０２（図２に示す）が取り付けられている。可撓性チューブ５０２は、センシングカフ３０４に流体を供給し、又は、センシングカフ３０４から流体を排出するための要素である。
【００４８】
次に、本体１０が搭載する複数の要素について説明する。  
図２は、血圧計１のハードウェアの構成を示すブロック図である。  
本体１０は、上述の表示部１０１及び操作部１０２に加えて、制御部１０３と、記憶部１０４と、加速度センサ１０５と、温湿度センサ１０６と、気圧センサ１０７と、通信部１０８と、ＧＰＳ（Global Positioning System）受信機１０９、電池１１０と、第１圧力センサ１１１と、第２圧力センサ１１２と、ポンプ駆動回路１１３、ポンプ１１４と、開閉弁１１５とを搭載している。
【００４９】
制御部１０３は、コンピュータを構成するプロセッサ、ＲＡＭ（Random Access Memory）、ＲＯＭ（Read Only Memory）などを含み、ＲＯＭ及び記憶部１０４の少なくとも一方に記憶されるプログラム（情報処理プログラム）に基づき情報処理に応じて各構成要素を制御する。例えば、プロセッサは、ＣＰＵ（Central Processing Unit）である。なお、プログラムは、制御部１０３を動作させる命令である。
【００５０】
また、制御部１０３は、加速度センサ１０５、温湿度センサ１０６、気圧センサ１０７、通信部１０８、ＧＰＳ受信機１０９、第１圧力センサ１１１、及び第２圧力センサ１１２から取得したデータを記憶部１０４へ記憶させる。制御部１０３に実装される各部の構成については後述する。
【００５１】
記憶部１０４は、例えば、ハードディスクドライブ、ソリッドステートドライブなどの補助記憶装置である。例えば、記憶部１０４は、制御部１０３で実行されるプログラムを記憶する。また、記憶部１０４は、血圧計１を制御するために用いられる制御データ、及び血圧計１の各種機能を設定するための設定データなどを記憶する。また、記憶部１０４は、プログラムが実行されるときのワークメモリなどとして用いられる。
【００５２】
また、記憶部１０４は、血圧関連情報を記憶する。例えば、血圧関連情報は、異なる日時に測定された複数の血圧情報、及び各血圧情報に関連付けられた血圧を測定したときの被測定者の状況（以下、「血圧測定状況」とも表記する）を含む。例えば、血圧情報は、血圧値（収縮期血圧ＳＢＰ（Systolic Blood Pressure）と拡張期血圧ＤＢＰ（Diastolic Blood Pressure）など）を含む。また、血圧測定状況は、血圧測定のタイミングに応じて取得される時間情報（測定日時）を含み、さらに、位置情報（測定位置）、加速度情報、温湿度情報、気圧情報、及び行動スケジュール情報などのうちの少なくとも一つを含む。例えば、上記した血圧測定のタイミングとは、血圧測定開始時、血圧測定途中、又は血圧測定終了時のいずれか一つのタイミングである。また、加速度情報については、血圧測定開始よりも所定時間前（例えば１分前又は５分前）のタイミングに応じて取得される情報であってもよい。
【００５３】
加速度センサ１０５は、３軸加速度センサである。加速度センサ１０５は、互いに直交する３方向の加速度を表す加速度情報を制御部１０３へ出力する。加速度情報は、被測定者の動きを表す情報の一例である。制御部１０３は、加速度情報を用いて、被測定者の歩行だけでなく、家事やデスクワークなどの様々な活動における活動量を算出することができる。活動量は、例えば、移動（歩行）距離、消費カロリー、又は、脂肪燃焼量などの被測定者の活動に関連する指標である。制御部１０３は、加速度情報を用いて、被測定者の就寝前、就寝中、及び起床後を推定することもできる。また、制御部１０３は、加速度情報を用いて、被測定者が運動中か否かを推定することもできる。
【００５４】
温湿度センサ１０６は、血圧計１の周辺の環境温度（室温）及び湿度を計測する。温湿度センサ１０６は、環境温度及び湿度を表す環境情報を制御部１０３へ出力する。例えば、気温などの環境変化（気温変化）は、人間の血圧変動を引き起こしうる要素の１つとして考えられる。このため、環境温度は、被測定者の血圧変動の要因となりうる情報である。
【００５５】
気圧センサ１０７は、血圧計１の周辺の気圧を検出する。気圧センサ１０７は、気圧を表す環境情報を制御部１０３へ出力する。制御部１０３は、気圧を表す環境情報及び加速度情報を用いて、被測定者の歩数、早歩き歩数、及び、階段のぼり歩数などを計測することができる。例えば、気圧などの環境変化（気圧変化）は、人間の血圧変動を引き起こしうる要素の１つとして考えられる。このため、気圧は、被測定者の血圧変動の要因となりうる情報である。
【００５６】
通信部１０８は、血圧計１をサーバ７０及び携帯端末８０のうちの少なくとも何れか一方と接続するためのインタフェースである。携帯端末８０は、例えば、スマートフォンやタブレット端末などである。携帯端末８０は、被測定者が所有しているものとする。通信部１０８は、制御部１０３によって制御される、通信部１０８は、ネットワークを介して、情報をサーバ７０及び携帯端末８０のうちの少なくとも何れか一方へ送信する。通信部１０８は、ネットワークを介して受信したサーバ７０及び携帯端末８０のうちの少なくとも何れか一方からの情報を制御部１０３へ受け渡す。このネットワークを介した通信は、無線、有線のいずれでもよい。ネットワークは、例えば、インターネットであるが、これに限定されない。ネットワークは、病院内ＬＡＮ（Local Area Network）のような他の種類のネットワークであってもよいし、ＵＳＢケーブルなどを用いた１対１の通信であってもよい。通信部１０８は、マイクロＵＳＢコネクタを含んでいてもよい。通信部１０８は、ブルートゥース（登録商標）などの近距離無線通信により、情報を携帯端末８０へ送信してもよい。
【００５７】
ＧＰＳ受信機１０９は、複数のＧＰＳ衛星から送信されるＧＰＳ信号をそれぞれ受信し、受信したＧＰＳ信号を制御部１０３へ出力する。制御部１０３は、上記各ＧＰＳ信号をもとに測距演算を行うことで、血圧計１の現在位置、つまり血圧計１を装着している被測定者の現在位置を算出する。なお、血圧計１は、ＧＰＳ受信機１０９及び制御部１０３による測距演算機能は必ずしも備えていなくてもよい。この場合、血圧計１は、携帯端末８０から当該携帯端末８０により算出された現在位置を示す位置情報を、通信部１０８を介して取得する。携帯端末８０により算出された位置情報は、血圧計１の現在位置に対応する。例えば、携帯端末８０が、ＧＰＳ受信機能を備え、ＧＰＳ受信機能により受信されるＧＰＳ信号から位置情報を算出してもよいし、携帯端末８０が、基地局との通信により位置情報を取得するようにしてもよい。
【００５８】
電池１１０は、例えば、充電可能な２次電池である。電池１１０は、本体１０に搭載されている各要素へ電力を供給する。電池１１０は、例えば、表示部１０１、操作部１０２、制御部１０３、記憶部１０４、加速度センサ１０５、温湿度センサ１０６、気圧センサ１０７、通信部１０８、第１圧力センサ１１１、第２圧力センサ１１２、ポンプ駆動回路１１３、ポンプ１１４、及び、開閉弁１１５へ電力を供給する。
【００５９】
第１圧力センサ１１１は、例えば、ピエゾ抵抗式圧力センサである。第１圧力センサ１１１は、第１の流路を構成する可撓性チューブ５０１及び第１の流路形成部材５０３を介して、押圧カフ３０２内の圧力を検出する。第１圧力センサ１１１は、圧力データを制御部１０３へ出力する。
【００６０】
第２圧力センサ１１２は、例えば、ピエゾ抵抗式圧力センサである。第２圧力センサ１１２は、第２の流路を構成する可撓性チューブ５０２及び第２の流路形成部材５０４を介して、センシングカフ３０４内の圧力を検出する。第２圧力センサ１１２は、圧力データを制御部１０３へ出力する。
【００６１】
ポンプ駆動回路１１３は、制御部１０３からの制御信号に基づいて、ポンプ１１４を駆動する。
【００６２】
ポンプ１１４は、例えば、圧電ポンプである。ポンプ１１４は、第１の流路を介して、押圧カフ３０２に流体流通可能に接続されている。ポンプ１１４は、第１の流路を通して、押圧カフ３０２に流体を供給することができる。なお、ポンプ１１４には、ポンプ１１４のオン／オフに伴って開閉が制御される図示しない排気弁が搭載されている。すなわち、この排気弁は、ポンプ１１４がオンされると閉じて、押圧カフ３０２内に空気を封入するのを助ける。一方、この排気弁は、ポンプ１１４がオフされると開いて、押圧カフ３０２内の空気を第１の流路を通して、大気中へ排出させる。なお、この排気弁は、逆止弁の機能を有し、排出される空気が逆流することはない。
【００６３】
ポンプ１１４は、さらに、第２の流路を介して、センシングカフ３０４に流体流通可能に接続されている。ポンプ１１４は、第２の流路を通して、センシングカフ３０４に流体を供給することができる。
【００６４】
開閉弁１１５は、第２の流路形成部材５０４に介挿されている。開閉弁１１５は、例えば、常開の電磁弁である。開閉弁１１５の開閉（開度）は、制御部１０３からの制御信号に基づいて制御される。開閉弁１１５が開状態にあるとき、ポンプ１１４は、第２の流路を通して、センシングカフ３０４に流体を供給することができる。
【００６５】
次に、血圧計１が被測定部位に装着された状態（以下、「装着状態」とも表記する）について説明する。  
図３は、装着状態における被測定部位である左手首９０に垂直な断面を示す図である。本体１０とベルト２０の図示は省略されている。図３には、左手首９０の橈骨動脈９１、尺骨動脈９２、橈骨９３、尺骨９４、及び、腱９５が示されている。
【００６６】
この装着状態では、カーラ３０１は、左手首９０の外周（Ｚ方向）に沿って延在する。押圧カフ３０２は、カーラ３０１の内周側で、Ｚ方向に沿って延在する。背板３０３は、押圧カフ３０２とセンシングカフ３０４との間に介挿され、Ｚ方向に沿って延在する。センシングカフ３０４は、左手首９０に接し、かつ、左手首９０の動脈通過部分９０ａを横切るようにＺ方向に延在する。ベルト２０、カーラ３０１、押圧カフ３０２、及び、背板３０３は、左手首９０へ向かって押圧力を発生可能な押圧部材として働き、センシングカフ３０４を介して左手首９０を圧迫する。
【００６７】
次に、制御部１０３が備えるソフトウェアの構成について説明する。  
図４は、血圧計１の制御部１０３が備えるソフトウェアの構成を示すブロック図である。制御部１０３は、実施の形態に係る特徴的な制御機能として、情報取得部１０３１、血圧変動検出部１０３２、変動情報出力部１０３３、状況検出部１０３４、環境変化検出部１０３５、血圧測定部１０３６、及び血圧情報出力部１０３７を備える。これらの制御機能はいずれもＲＯＭなどに格納されたプログラムをプロセッサに実行させることにより実現される。なお、各制御機能部は、２以上のプロセッサに分散されて実装されてもよい。
【００６８】
情報取得部１０３１の構成について説明する。  
情報取得部１０３１は、定期的に記憶部１０４から血圧関連情報を取得し、又は記憶部１０４を監視し記憶部１０４に記憶される情報の更新（追記）に応じて記憶部１０４から血圧関連情報を取得し、順次取得される血圧関連情報を血圧変動検出部１０３２へ出力する。例えば、情報取得部１０３１は、第１の血圧測定状況（第１の血圧測定日時を含む）及び第１の血圧測定状況に関連付けられる第１の血圧情報（以下、「現在の血圧情報」とも表記する）を含む第１の血圧関連情報（以下、「現在の血圧関連情報」とも表記する）、並びに第２の血圧測定状況（第１の血圧測定日時より過去の第２の血圧測定日時を含む）及び第２の血圧測定状況に関連付けられる第２の血圧情報（以下、「過去の血圧情報」とも表記する）を含む第２の血圧関連情報（以下、「過去の血圧関連情報」とも表記する）を取得する。過去の血圧関連情報（過去の血圧情報）は、過去１回の測定で得られた情報であってもよいし、過去複数回の測定で得られた情報であってもよい。
【００６９】
また、情報取得部１０３１は、定常的に環境情報を取得し、順次取得される環境情報を状況検出部１０３４へ出力する。例えば、環境情報は、血圧計１の周辺の気温、湿度、及び気圧のうちの少なくとも一つである。また、情報取得部１０３１は、現在の時間情報を取得し、状況検出部１０３４へ出力する。また、情報取得部１０３１は、位置情報、加速度情報、及び登録済みの行動スケジュール情報などのうちの少なくとも一つの情報を取得し、少なくとも一つの情報を状況検出部１０３４へ出力してもよい。
【００７０】
例えば、情報取得部１０３１は、通信部１０８から時間情報を取得する。通信部１０８は、サーバ７０又は携帯端末８０から時間情報を受信する。なお、血圧計１が時計機能を備える場合には、情報取得部１０３１は、この時計機能により提供される時間情報を取得するようにしてもよい。この場合、時計機能は、通信部１０８から取得される時間情報により現在日時を補正し、補正した時間情報を提供するようにしてもよい。
【００７１】
例えば、情報取得部１０３１は、温湿度センサ１０６から温湿度情報を取得し、気圧センサ１０７から気圧情報を取得する。  
例えば、情報取得部１０３１は、ＧＰＳ受信機１０９からのＧＰＳ信号を取得する。或いは、情報取得部１０３１は、通信部１０８から現在位置を示す位置情報を取得するようにしてもよい。
【００７２】
例えば、情報取得部１０３１は、通信部１０８から行動スケジュール情報を取得する。通信部１０８は、携帯端末８０から行動スケジュール情報を受信する。例えば、携帯端末８０にはスケジュール管理アプリケーションソフトがインストールされ、スケジュール管理アプリケーションソフトは、行動スケジュール情報を作成し登録し、また、外部へ出力する。例えば、行動スケジュール情報は、就寝時刻及び起床時刻などを含む。  
例えば、情報取得部１０３１は、加速度センサ１０５から加速度情報を取得する。
【００７３】
血圧変動検出部１０３２の構成について説明する。  
血圧変動検出部１０３２は、操作部１０２への血圧測定の入力操作及び記憶部１０４に登録される血圧測定スケジュールのうちの少なくとも一方に基づく血圧測定部１０３６の血圧測定動作により順次取得される血圧関連情報を受け取り、血圧関連情報に含まれる複数の血圧情報、及び各血圧情報に関連付けられた血圧測定状況（測定日時を含む）に基づき、第１の測定日時（例えば現在日時）の第１の血圧情報（現在の血圧情報）及びこの第１の測定日時より過去の第２の測定日時の第２の血圧情報（過去の血圧情報）から血圧基準値（第１の基準値）を超える血圧変動を検出する。なお、血圧変動検出部１０３２は、時間経過に応じて順次取得される血圧関連情報（血圧情報を含む）に応じて第１及び第２の血圧情報を順次更新する。血圧変動検出部１０３２は、更新される第１の血圧情報と、更新される第２の血圧情報から血圧基準値を超える血圧変動を検出する。例えば、１回の測定で得られる第１の測定日時の第１の血圧情報の値と、第１の測定日時に最も近い過去の１回の測定で得られる第２の血圧情報との差分が血圧基準値を超える場合にこの差分を血圧変動として検出する。又は、１回の測定で得られる第１の測定日時の第１の血圧情報の値と、第１の測定日時より過去の複数回の測定で得られる複数個の第２の血圧情報の平均値との差分が血圧基準値を超える場合にこの差分を血圧変動として検出する。例えば、第１の血圧情報の値と、過去１時間、過去６時間、過去１日、又は過去１週間の複数個の血圧情報の平均値との差分が血圧基準値を超える場合にこの差分を血圧変動として検出する。例えば、血圧基準値として１０ｍｍＨｇを設定することにより、１０ｍｍＨｇを超える差分を血圧変動として検出する。
【００７４】
変動情報出力部１０３３の構成について説明する。  
変動情報出力部１０３３は、血圧変動を通知する血圧変動情報を出力する。例えば、血圧変動情報は、血圧変動通知メールの送信を指示する送信制御情報であり、変動情報出力部１０３３は、通信部１０８に対して、送信制御情報を出力する。通信部１０８は、送信制御情報に基づき血圧変動通知メールを事前に登録された宛先へ送信する。例えば、携帯端末８０に対応する宛先を事前に登録しておくことにより、通信部１０８は、血圧変動通知メールを携帯端末８０へ送信する。携帯端末８０は、血圧変動通知メールを受信し、血圧変動通知メールを表示する。また、血圧変動情報は、血圧変動を通知するための通知制御情報であり、変動情報出力部１０３３は、表示部１０１に対して、この通知制御情報を出力する。表示部１０１は、この通知制御情報に基づき血圧変動案内を表示する。例えば、血圧変動通知メール及び血圧変動案内は、文字、イメージ、又は文字とイメージにより視覚的に血圧変動を示す情報である。血圧計１が振動通知機能を備える場合には、血圧変動情報に基づき血圧変動を振動通知機能の振動により通知するようにしてもよい。また、血圧計１がスピーカを備える場合には、血圧変動情報に基づき血圧変動をスピーカからの音声又は効果音などにより通知するようにしてもよい。
【００７５】
状況検出部１０３４の構成について説明する。  
状況検出部１０３４は、位置情報、加速度情報、温湿度情報、気圧情報、及び行動スケジュール情報などのうちの少なくとも一つの情報と時間情報とを組み合わせて、血圧情報を測定するときの被測定者の現在の状況を検出し、この現在の状況を表す情報を出力する。なお、上記の「検出」を「推定」と読み替えてもよい。血圧情報出力部１０３７は、血圧測定に対応して、状況検出部１０３４から出力される現在の状況を血圧測定状況として利用する。
【００７６】
例えば、状況検出部１０３４は、順次取得される環境情報に基づき、現在の状況の一つとして時間情報に関連付けられる環境情報を出力する。これにより、第１の環境測定日時に関連付けられる第１の環境情報（以下、「現在の環境情報」とも表記する）、及び第１の環境測定日時より過去の第２の環境測定日時に関連付けられる第２の環境情報（以下、「過去の環境情報」とも表記する）が出力される。
【００７７】
例えば、状況検出部１０３４は、取得された位置情報（現在位置）と事前登録された位置情報（登録位置）に基づき、現在位置が登録位置に該当するか否かを検出する。例えば、現在位置が登録位置から所定範囲に含まれる場合に、現在位置が登録位置に該当することを検出する。つまり、状況検出部１０３４は、現在の状況として、現在の位置が登録位置に該当するか否かを検出することができる。例えば、職場、自宅、病院などのうちの少なくとも一つの位置を事前登録することにより、現在の位置がこれら少なくとも一つの位置に該当するか否かを検出することができる。
【００７８】
また、状況検出部１０３４は、取得された加速度情報に基づき、現在の状況が加速度情報から推定される各種状況に該当するか否かを検出する。例えば、状況検出部１０３４は、加速度情報から活動量を推定し、さらに活動量に基づき、就寝前、就寝中、起床後などの何れの状況に該当するか否かを検出することができる。また、状況検出部１０３４は、活動量情報に基づき、運動中か否か及び運動直後か否かを検出することができる。
【００７９】
また、状況検出部１０３４は、取得された時間情報（現在時刻）と取得された行動スケジュール情報に基づき、現在の状況が行動スケジュール情報の状況に該当するか否かを検出する。例えば、状況検出部１０３４は、加速度情報に替えて、現在時刻と行動スケジュール情報を利用し、現在の状況が就寝前、就寝中、起床後などの何れの状況に該当するか否かを検出することができる。例えば、状況検出部１０３４は、現在時刻２３：００と就寝予定時刻２２：００及び起床予定時刻７：００を含む行動スケジュール情報に基づき、現在の状況が就寝中に該当することを検出する。
【００８０】
環境変化検出部１０３５の構成について説明する。  
環境変化検出部１０３５は、時間経過に応じて順次取得される環境情報に基づき第１の環境情報（現在の環境情報）及び第２の環境情報（過去の環境情報）を保持し、時間経過に応じて順次取得される環境情報に基づき第１及び第２の環境情報を順次更新する。例えば、第１のタイミングにおいてはこの第１のタイミングで取得された環境情報は第１の環境情報となり、第１のタイミングの後の第２のタイミングにおいてはこの第２のタイミングで取得された環境情報は新たな第１の環境情報となり、この第２のタイミングにおいては第１のタイミングで取得された第１の環境情報は第２の環境情報となる。環境変化検出部１０３５は、更新される第１の環境情報と、更新される第２の環境情報から環境基準値（第２の基準値）を超える環境変化を検出し、環境変化の検出に基づき血圧測定の開始のトリガー信号を出力する。例えば、１回の測定で得られる第１の環境測定日時の第１の環境情報と、第１の測定日時より古い第２の環境測定日時の過去の１回の測定で得られる第２の環境情報との差分が環境基準値を超える場合にこの差分を環境変化として検出する。なお、第２の環境測定日時と上記した第２の血圧測定日時とは関連する実質同一の日時であってもよいし、独立した日時であってもよい。又は、１回の測定で得られる第１の環境測定日時の第１の環境情報と、第１の環境測定日時より過去の複数回の測定で得られる複数個の第２の環境情報の平均値との差分が環境基準値を超える場合にこの差分を環境変化として検出する。例えば、第１の環境情報と、過去１時間、過去６時間、過去１日、又は過去１週間の複数個の環境情報の平均値との差分が環境基準値を超える場合にこの差分を環境変化として検出する。なお、複数回の環境測定日時のうちの１回の環境測定日時が上記した第２の血圧測定日時と関連する実質同一の日時であってもよいし、複数回の環境測定日時と第２の血圧測定日時とは独立した日時であってもよい。例えば、第１の環境情報の一つである現在の温度情報と、第２の環境情報の一つである過去の温度情報から第１の温度基準値（第２の基準値）を超える温度変化を検出する。例えば、第１の温度基準値を５℃に設定する。また、環境変化検出部１０３５は、現在及び過去の温度情報の少なくとも一方が第２の温度基準値未満の場合に、温度変化を検出するようにしてもよい。例えば、第２の温度基準値を１５℃に設定する。これにより、比較的低温下における温度変化が検出される。  
また、現在と過去の条件設定により、昨晩から翌朝にかけての気温（室温）の変化を検出するようにしてもよい。例えば、環境変化検出部１０３５は、現在の温度情報（当日の午前４：００から午前６：００の朝方の時間帯に含まれる温度情報）と、過去の温度情報（前日の午後９：００から午後１１：００の夜半の時間帯に含まれる温度情報）から第１の温度基準値を超える昨晩から翌朝にかけての温度変化を検出する。さらに、第１の温度基準値を比較的高い値に設定することにより、急峻な温度変化を検出することができる。例えば、上記の現在と過去の条件設定及び第１の温度基準値を５℃以上に設定することにより、環境変化検出部１０３５は、昨晩から翌朝にかけての急峻な温度変化を検出する。さらに、現在及び過去の温度情報の両方が第２の温度基準値未満であることを条件に加えることにより、低温（例えば冬期）の条件下における温度変化を検出することができる。例えば、上記の現在と過去の条件設定、第１の温度基準値を５℃に設定、及び第２の温度基準値を１０℃に設定することにより、環境変化検出部１０３５は、冬期（１０℃未満）の昨晩から翌朝にかけての急峻な温度変化を検出する。環境変化検出部１０３５は、これら温度変化の検出に基づき血圧測定の開始のトリガー信号を出力する。
また、環境変化検出部１０３５は、現在の環境情報の一つである現在の気圧情報と、過去の環境情報の一つである過去の気圧情報から気圧基準値（第２の基準値）を超える気圧変化を検出するようにしてもよい。
【００８１】
血圧測定部１０３６の構成について説明する。  
例えば、血圧測定部１０３６は、被測定者による操作部１０２の測定スイッチの押下（血圧測定の入力操作）に応じて出力される測定指示の検出、又は、血圧測定の開始のトリガーとなる測定指示の検出に基づいて、次のように各種動作を制御し、被測定者の血圧値を測定する。なお、血圧測定部１０３６による血圧値の測定は、センシングされたデータから血圧値を算出することである。
【００８２】
例えば、血圧測定部１０３６は、測定指示の検出、又は、血圧測定の開始のトリガーとなる測定指示の検出に基づいて、記憶部１０４の処理用メモリ領域を初期化する。血圧測定部１０３６は、ポンプ駆動回路１１３を介してポンプ１１４をオフし、ポンプ１１４に内蔵された排気弁を開くとともに、開閉弁１１５を開状態に維持して、押圧カフ３０２内及びセンシングカフ３０４内の空気を排気するように制御する。血圧測定部１０３６は、第１圧力センサ１１１、及び、第２圧力センサ１１２の０ｍｍＨｇの調整を行うように制御する。血圧測定部１０３６は、ポンプ駆動回路１１３を介してポンプ１１４をオンし、開閉弁１１５を開状態に維持して、押圧カフ３０２及びセンシングカフ３０４の加圧を開始するように制御する。血圧測定部１０３６は、第１圧力センサ１１１及び第２圧力センサ１１２によって押圧カフ３０２及びセンシングカフ３０４の圧力をそれぞれモニタしながら、ポンプ駆動回路１１３を介してポンプ１１４を駆動するように制御する。血圧測定部１０３６は、第１の流路を通して押圧カフ３０２に、また、第２の流路を通してセンシングカフ３０４に、それぞれ空気を送るように制御する。
【００８３】
血圧測定部１０３６は、センシングカフ３０４の圧力が所定の圧力（例えば、１５ｍｍＨｇ）に到達するか、もしくは、ポンプ１１４の駆動時間が所定の時間（例えば、３秒間）だけ経過するまで待つ。血圧測定部１０３６は、開閉弁１１５を閉状態にして、ポンプ１１４から第１の流路を通して押圧カフ３０２に空気を供給する制御を継続する。これにより、押圧カフ３０２は、徐々に加圧され、左手首９０を徐々に圧迫していく。背板３０３は、押圧カフ３０２からの押圧力をセンシングカフ３０４へ伝える。センシングカフ３０４は、左手首９０（動脈通過部分９０ａを含む。）を圧迫する。
【００８４】
この加圧過程で、血圧測定部１０３６は、血圧値（収縮期血圧ＳＢＰ（Systolic Blood Pressure）と拡張期血圧ＤＢＰ（Diastolic Blood Pressure）など）を算出するために、第２圧力センサ１１２によって、センシングカフ３０４の圧力Ｐｃ、すなわち、左手首９０の動脈通過部分９０ａの圧力をモニタし、変動成分としての脈波信号Ｐｍを取得する。血圧測定部１０３６は、脈波信号Ｐｍに基づいて、オシロメトリック法により公知のアルゴリズムを適用して血圧値を算出する。血圧測定部１０３６は、血圧値を算出すると、ポンプ１１４を停止し、開閉弁１１５を開いて、押圧カフ３０２内及びセンシングカフ３０４内の空気を排出するように制御する。血圧測定部１０３６は、上述の制御により、血圧値を算出することができ、算出された血圧値を血圧情報として血圧情報出力部１０３７へ出力する。
【００８５】
血圧情報出力部１０３７の構成について説明する。  
血圧情報出力部１０３７は、血圧測定部１０３６による血圧測定のタイミングに応じて、状況検出部１０３４から出力される現在の状況を血圧測定状況として受け取り、血圧測定部１０３６から出力される血圧情報と血圧測定状況とを関連付けて出力する。つまり、血圧情報出力部１０３７は、血圧情報及び血圧情報に関連付けられた血圧測定状況を含む血圧関連情報を表示部１０１及び記憶部１０４へ出力する。表示部１０１は、血圧関連情報を表示し、また、記憶部１０４は血圧関連情報を記憶する。血圧測定部１０３６による血圧測定が繰り返されることにより、記憶部１０４には複数の血圧関連情報が記憶（蓄積）される。複数の血圧関連情報には、現在の血圧関連情報及び過去の血圧関連情報（複数回の測定に応じた複数個の過去の血圧関連情報）が含まれる。上記説明したように、第１及び第２の血圧情報は、血圧測定の入力操作及び血圧測定スケジュールのうちの少なくとも一方に基づき順次取得され更新される。
【００８６】
（動作）
被測定者などの意向に基づく血圧測定処理について説明する。  
例えば、被測定者が操作部１０２の測定スイッチを押下（血圧測定の入力操作）すると、血圧計１は測定スイッチの押下に対応して発生する測定指示に基づき血圧を測定する。即ち、血圧測定部１０３６は、操作部１０２の測定スイッチの押下に対応して発生する測定指示に基づき血圧測定のための動作を制御し、血圧値などの血圧情報を測定する。このような操作部１０２における測定スイッチ操作などに基づく血圧測定を手動測定とも表記する。
【００８７】
また、記憶部１０４に血圧測定スケジュールが登録されると、情報取得部１０３１が血圧測定スケジュールを取得し、状況検出部１０３４が血圧測定スケジュールに基づき血圧の測定指示を発生する。例えば、血圧測定スケジュールは血圧測定日時（６時間毎（例えば６時、１２時、１８時、及び０時）又は毎日（例えば毎朝６時）など）の情報を含む。状況検出部１０３４は、血圧測定スケジュールに含まれる血圧測定日時及び現在日時に基づき血圧の測定指示を発生する。血圧測定部１０３６は、この血圧の測定指示に基づき血圧測定のための動作を制御し、血圧情報を測定する。このような血圧測定スケジュールに基づく血圧測定をスケジュール測定と称する。なお、この実施の形態では、手動測定及びスケジュール測定のうちの少なくとも一方の実行を想定する。
【００８８】
血圧情報出力部１０３７は、状況検出部１０３４から出力される現在の状況を血圧測定状況（血圧測定日時を含む）として受け取り、血圧測定部１０３６から出力される血圧情報、及びこの血圧情報に関連付けられる血圧測定状況を含む血圧関連情報を出力する。血圧情報出力部１０３７は、血圧関連情報を表示部１０１及び記憶部１０４へ出力する。表示部１０１は、血圧関連情報を表示し、記憶部１０４は、血圧関連情報を記憶する。例えば、血圧測定の繰り返しにより、記憶部１０４は、血圧関連情報を記憶（蓄積）する。なお、測定当初は、記憶部１０４に記憶される血圧関連情報は現在の血圧関連情報であるが、時間経過と共に、記憶部１０４に記憶される血圧関連情報は過去の血圧関連情報になる。つまり、時間経過に応じて血圧関連情報が順次取得され、結果的に第１及び第２の血圧情報が順次更新される。
【００８９】
続いて、環境変化に基づく血圧測定処理について説明する。  
図５は、実施の形態に係る環境変化に基づく血圧測定処理の一例を示すフローチャートである。  
図５に示すように、血圧計１は、定常的に環境情報を測定する（ステップＳ１１）。例えば、温湿度センサ１０６は、定常的に温湿度情報を測定する（ステップＳ１１）。情報取得部１０３１は、時間情報及び環境情報を順次取得し、状況検出部１０３４は、時間情報に関連付けて環境情報を出力する。環境変化検出部１０３５は、現在及び過去の環境情報から基準値を超える環境変化を検出し（ステップＳ１２、ＹＥＳ）、環境変化の検出に基づき血圧測定の開始のトリガー信号を出力する。例えば、環境変化検出部１０３５は、現在及び過去の温度情報から基準値を超える温度変化を検出し（ステップＳ１２、ＹＥＳ）、温度変化の検出に基づき血圧測定の開始のトリガー信号を出力する。環境変化検出部１０３５は、現在及び過去の環境情報から基準値を超える環境変化を検出しなければ（ステップＳ１２、ＮＯ）、血圧測定の開始のトリガー信号を出力しない。
【００９０】
血圧計１は、血圧測定の開始のトリガー信号に基づき血圧を測定する（ステップＳ１３）。即ち、血圧測定部１０３６は、環境変化の検出に基づき、血圧測定のための動作を制御し、血圧値などの血圧情報を測定する（ステップＳ１３）。血圧情報出力部１０３７は、血圧情報及び血圧情報に関連付けられた血圧測定状況を含む血圧関連情報を出力する（ステップＳ１４）。例えば、血圧情報出力部１０３７は、血圧関連情報を表示部１０１及び記憶部１０４へ出力する。表示部１０１は、血圧関連情報を表示し、記憶部１０４は、血圧関連情報を記憶する（ステップＳ１５）。なお、測定当初は、記憶部１０４に記憶される血圧関連情報は現在の血圧関連情報であるが、時間経過と共に、記憶部１０４に記憶される血圧関連情報は過去の血圧関連情報になる。
【００９１】
また、変動情報出力部１０３３は、血圧変動の検出に基づき血圧変動通知処理を実行する（ステップＳ１６）。
【００９２】
図６は、実施の形態に係る血圧変動通知処理を示すフローチャートである。  
図６に示すように、情報取得部１０３１は、記憶部１０４に記憶された現在及び過去の血圧関連情報を取得する（ステップＳ１６１）。血圧変動検出部１０３２は、現在及び過去の血圧関連情報から血圧基準値を超える血圧変動を検出すると（ステップＳ１６２、ＹＥＳ）、変動情報出力部１０３３は、血圧変動の検出に基づき血圧変動を通知する血圧変動情報を出力する（ステップＳ１６３）。血圧変動検出部１０３２は、現在及び過去の血圧関連情報から血圧基準値を超える血圧変動を検出しなければ（ステップＳ１６２、ＮＯ）、引き続き、血圧基準値に基づき血圧変動検出を継続する。
【００９３】
例えば、変動情報出力部１０３３は、通信部１０８に対して、血圧変動通知メールの送信を指示する送信制御情報を出力する。通信部１０８は、送信制御情報に基づき血圧変動通知メールを事前に登録された宛先へ送信する。また、変動情報出力部１０３３は、表示部１０１に対して、この通知制御情報を出力する。表示部１０１は、この通知制御情報に基づき血圧変動案内を表示する。
【００９４】
なお、記憶部１０４が血圧関連情報を記憶し、情報取得部１０３１が記憶部１０４に記憶された血圧関連情報を取得するケースについて説明したが、血圧計１の記憶部１０４に替えてサーバ７０又は携帯端末８０のメモリが血圧関連情報を記憶し、情報取得部１０３１がサーバ７０又は携帯端末８０のメモリに記憶された血圧関連情報を取得するようにしてもよい。
また、ステップＳ１２の過去の環境情報の測定日時とステップＳ１６１の過去の血圧関連情報の測定日時とは関連する実質同一の日時であってもよいし、互いに独立した日時であってもよい。
【００９５】
（作用・効果）  
以上詳述したようにこの発明の実施の形態では、血圧変動の検出に基づく血圧変動情報の出力により、被測定者などに対して血圧変動を通知することにより、血圧変動の認識機会を与えることができる。例えば、第１の基準値を超える血圧変動は血管に負担がかかるが、被測定者などは、第１の血圧測定日時において血圧変動が生じていたことを知ることができ、第１の血圧測定日時における生活環境などの改善を検討することができる。例えば、第１の血圧測定日時で血圧が測定された後、直ぐに血圧変動を通知することができる。これにより、被測定者などはその場の状況下で血圧変動が生じていたことを知ることができる。また、メールなどで血圧変動を通知する場合、通知先は被測定者のメールアドレスでもよいし、関係先のメールアドレスでもよい。例えば、病院、親族などのメールアドレスでもよい。これにより、被測定者本人に通知することもできるし、関係先に通知することもできる。
【００９６】
また、第２の基準値を超える温度変化に基づき血圧変動が生じることがあり、血圧変動の検出確率を高めることができる。例えば、温度変化に基づき血圧変動が生じることがあるため、温度変化に基づく血圧変動の検出により、比較的高い確率で血圧変動を検出することができる。なお、低温下での温度変化検出を条件に加えることにより、効率的に血圧変動を検出することができる。例えば、現在の温度情報と過去の温度情報の少なくとも一方が温度基準値未満の場合に環境変化を検出するようにする。また、気圧変化に基づき血圧変動が生じることがあるため、気圧変化に基づく血圧変動の検出により、比較的高い確率で血圧変動を検出することができる。
【００９７】
また、血圧変動を通知する血圧変動情報に各種情報を加えることにより、血圧変動と共に各種情報を被測定者などに知らせることができる。例えば、血圧変動情報に対して、環境変化を示す情報及び血圧測定状況を示す情報のうちの少なくとも一方を加えることにより、血圧変動と共に環境変化及び血圧測定状況のうちの少なくとも一方を被測定者などに知らせることができる。例えば、血圧の変動値と共に気温の変動値を被測定者などに知らせることができる。また、自宅や職場などの血圧測定位置を血圧測定状況に含めることにより、被測定者などに血圧測定位置を知らせることもできる。
また、上記した過去の環境情報の測定日時と過去の血圧関連情報の測定日時とが関連する実質同一の日時であれば、環境変化の影響を直接的に受けた血圧変動を検出し通知することができる。また、上記した過去の環境情報の測定日時と過去の血圧関連情報の測定日時とが独立した日時であれば、環境変化の影響を間接的に受けた血圧変動を検出し通知することができる。
【００９８】
［その他の実施の形態］
なお、血圧計１において血圧変動を検出するケースについて説明したが、実施の形態はこれだけに限定されるものではない。サーバ７０又は携帯端末８０において血圧変動を検出し、血圧変動検出結果を血圧計１へ通知するようにしてもよい。例えば、サーバ７０又は携帯端末８０が、血圧計１から現在及び過去の血圧関連情報を受信し記憶する。サーバ７０又は携帯端末８０は、現在及び過去の血圧関連情報から血圧変動を検出し、血圧変動検出結果を血圧計１へ通知する。血圧計１は、サーバ７０又は携帯端末８０からの血圧変動検出結果を受信し、血圧変動検出結果に基づき血圧変動を通知する血圧変動情報を出力する。或いは、サーバ７０又は携帯端末８０が、血圧変動検出結果に基づき血圧変動を通知する血圧変動情報を出力してもよい。血圧計１の通信部１０８は、サーバ７０又は携帯端末８０からの血圧変動情報を受信し、表示部１０１などが血圧変動情報に基づき血圧変動を通知する。
【００９９】
なお、血圧計１は、上述のように、血圧測定指示の入力の検出、又は、血圧計１が自律的に発生するトリガー信号の検出に基づいて血圧測定を開始するタイプの血圧計（非連続型の血圧計）に限られるものではない。例えば、血圧計１は、ＰＴＴ（Pulse Transmit Time）方式、トノメトリ方式、光学方式、電波方式、又は、超音波方式などを用いた連続測定型の血圧検出方式を採用した血圧計（連続型の血圧計）であってもよい。例えば、連続型の血圧計は、図６に示す血圧変動通知処理を実行する。ＰＴＴ方式は、脈波伝播時間（ＰＴＴ）を測定し、測定した脈波伝播時間から血圧値を推定する方式である。トノメトリ方式は、手首の橈骨動脈などの動脈が通る生体部位（被測定部位）に圧力センサを直接接触させて、圧力センサが検出する情報を用いて血圧値を測定する方式である。光学方式、電波方式、及び、超音波方式は、光、電波又は超音波を血管にあててその反射波から血圧値を測定する方式である。
【０１００】
また、連続型の血圧計が、現在及び過去の血圧関連情報をサーバ７０又は携帯端末８０へ送信し、サーバ７０又は携帯端末８０が、現在及び過去の血圧関連情報から血圧変動を検出し、血圧変動検出結果を連続型の血圧計へ通知するようにしてもよい。
【０１０１】
また、前記一実施の形態では、血圧を測定する場合を例にとって説明した。しかし、それに限るものではなく、活動量や歩数、心電、脈拍数、体温などのその他の生体情報を測定する場合にも、この発明は適用可能である。
【０１０２】
上記各実施形態において説明された種々の機能部は、回路を用いることで実現されてもよい。回路は、特定の機能を実現する専用回路であってもよいし、プロセッサのような汎用回路であってもよい。
【０１０３】
上記各実施形態の処理の少なくとも一部は、汎用のコンピュータを基本ハードウェアとして用いることでも実現可能である。上記処理を実現するプログラムは、コンピュータで読み取り可能な記録媒体に格納して提供されてもよい。プログラムは、インストール可能な形式のファイル又は実行可能な形式のファイルとして記録媒体に記憶される。記録媒体としては、磁気ディスク、光ディスク（ＣＤ−ＲＯＭ（Compact Disc-Read Only Memory）、ＣＤ−Ｒ（Compact Disc-Recordable）、ＤＶＤ（Digital Versatile Disc）など）、光磁気ディスク（ＭＯ（Magneto Optical）など）、半導体メモリなどである。記録媒体は、プログラムを記憶でき、かつ、コンピュータが読み取り可能であれば、何れであってもよい。また、上記処理を実現するプログラムを、インターネットなどのネットワークに接続されたコンピュータ（サーバ）上に格納し、ネットワーク経由でコンピュータ（クライアント）にダウンロードさせてもよい。
【０１０４】
上記の実施形態の一部又は全部は、以下の付記のようにも記載され得るが、以下には限られるものではない。  
（付記１）
第１の血圧測定日時に関連付けられる第１の血圧情報、及び前記第１の血圧測定日時より過去の第２の血圧測定日時に関連付けられる第２の血圧情報を取得し、
前記第１及び第２の血圧情報から第１の基準値を超える血圧変動を検出し、
前記血圧変動を通知する血圧変動情報を出力するように構成されるプロセッサと、
前記プロセッサを動作させる命令を記憶するメモリと、
を備える情報処理装置。
【０１０５】
（付記２）
少なくとも１つのプロセッサを用いて、第１の血圧測定日時に関連付けられる第１の血圧情報、及び前記第１の血圧測定日時より過去の第２の血圧測定日時に関連付けられる第２の血圧情報を取得する情報取得過程と、
前記少なくとも１つのプロセッサを用いて、前記第１及び第２の血圧情報から第１の基準値を超える血圧変動を検出する血圧変動検出過程と、
前記少なくとも１つのプロセッサを用いて、前記血圧変動を通知する血圧変動情報を出力する変動情報出力過程と、
を備える情報処理方法。
【符号の説明】
【０１０６】
１…血圧計、１０…本体、１０Ａ…ケース、１０Ｂ…ガラス、１０Ｃ…裏蓋、２０…ベルト、３０…カフ構造体、３０ａ…一端、３０ｂ…他端、３０ｃ…内周面、７０…サーバ、８０…携帯端末、９０…左手首、９０ａ…動脈通過部分、９１…橈骨動脈、９２…尺骨動脈、９３…橈骨、９４…尺骨、９５…腱、１０１…表示部、１０２…操作部、１０３…制御部、１０４…記憶部、１０５…加速度センサ、１０６…温湿度センサ、１０７…気圧センサ、１０８…通信部、１０９…ＧＰＳ受信機、１１０…電池、１１１…第１圧力センサ、１１２…第２圧力センサ、１１３…ポンプ駆動回路、１１４…ポンプ、１１５…開閉弁、２０１…第１ベルト部、２０１ａ…根元部、２０１ｂ…先端部、２０２…第２ベルト部、２０２ａ…根元部、２０２ｂ…先端部、２０２ｃ…小穴、２０３…尾錠、２０３Ａ…枠状体、２０３Ｂ…つく棒、２０３Ｃ…連結棒、２０４…ベルト保持部、３０１…カーラ、３０２…押圧カフ、３０３…背板、３０４…センシングカフ、３０４Ａ…第１のシート、３０４Ｂ…第２のシート、４０１…連結棒、４０２…連結棒、５０１…可撓性チューブ、５０２…可撓性チューブ、５０３…第１の流路形成部材、５０４…第２の流路形成部材、１０３１…情報取得部、１０３２…血圧変動検出部、１０３３…変動情報出力部、１０３４…状況検出部、１０３５…環境変化検出部、１０３６…血圧測定部、１０３７…血圧情報出力部
【図１】
2019115612.tif 000003
【図２】
2019115612.tif 000004
【図３】
2019115612.tif 000005
【図４】
2019115612.tif 000006
【図５】
2019115612.tif 000007
【図６】
2019115612.tif 000008